(57)【要約】【課題】半導体パッケージに関し、半導体パッケージと実装基板の熱膨張係数差に起因した熱応力に起因して発生するランドから延びた基板配線の断線を防止する。【解決手段】  ランド８に外部接合端子９を接合した外部接合端子部において、ランド角部８ｃをランド表面８ａと絶縁膜の開口部内周端１４ａが接触するＳＭＤ構造とし、ランド角部８ｃに挟まれたランド外縁の中央部８ｄを、ランド外縁端８ｂと絶縁膜７の開口部内周端１４ａとの間に隙間１６が形成されるＮＳＭＤ構造とする。ランド引出し配線は絶縁膜７に覆われたランド角部に形成し、上記ＳＭＤ構造部分とＮＳＭＤ構造部分を交互にそれぞれ３箇所以上設けた構成とする。【選択図】  図２
2007005452.tif 000002
【特許請求の範囲】
【請求項１】
半導体素子と、
第１の面及び前記第１の面と反対側の第２の面とを有し、前記第１の面側に前記半導体素子が搭載された配線基板と、
前記配線基板の第２の面側に設けられたランドと、
前記ランドから延びて前記配線基板の第２の面側に設けられた配線と、
前記ランドに接合された外部接合端子と、
前記配線基板の第２の面側に設けられた絶縁膜であって、前記ランドに前記外部接合端子を接合するための開口部が形成された絶縁膜とを有し、
前記絶縁膜の開口部内周端と前記ランド表面とが接触する部分と、前記ランド外縁端と前記絶縁膜の開口部内周端との間に隙間が形成される部分とをそれぞれ３箇所以上設け、
前記ランドから延びた配線の表面は前記絶縁膜で覆われていることを特徴とする半導体装置。
【請求項２】
請求項１に記載の半導体装置において、
前記絶縁膜の開口部内周端と前記ランド表面とが接触する部分と、前記ランド外縁端と前記絶縁膜の開口部内周端との間に隙間が形成される部分が、前記ランド外縁に沿って交互に形成されていることを特徴とする半導体装置。
【請求項３】
半導体素子と、
第１の面及び前記第１の面と反対側の第２の面とを有し、前記第１の面側に前記半導体素子が搭載された配線基板と、
前記配線基板の第２の面側に設けられたランドと、
前記ランドから延びて前記配線基板の第２の面側に設けられた配線と、
前記ランドに接合された外部接合端子と、
前記配線基板の第２の面側に設けられた絶縁膜であって、前記ランドに前記外部接合端子を接合するための開口部が形成された絶縁膜とを有し、
前記絶縁膜の開口部内周端と前記ランド表面とが接触する部分と、前記ランド外縁端と前記絶縁膜の開口部内周端との間に隙間が形成される部分とをそれぞれ３箇所以上設け、
前記ランド外縁端と前記絶縁膜の開口部内周端との間に隙間が形成される個所の少なくとも1箇所は、前記半導体素子の中心と前記絶縁膜の開口部中心を結ぶ線と交わる位置にあり、
前記ランドから延びた配線の表面は、前記絶縁膜で覆われていることを特徴とする半導体装置。
【請求項４】
請求項３に記載の半導体装置において、
前記ランドは、複数設けられ、
前記複数のランドは、前記半導体素子の外縁部と交差する位置の第１のランドと、前記半導体素子の外縁部より内側にある第２のランドと、前記半導体素子の外縁部より外側で前記半導体素子に隣接した第３のランドとを含み、
前記第１乃至第３のランドを含むランド群は、前記ランド外縁部と絶縁膜の開口部内周端との間に隙間が形成される部分が、前記半導体素子の中心とは反対側の方向で、前記半導体素子の中心と絶縁膜の開口部中心とを結んだ線と交わる位置にあることを特徴とする半導体装置。
【請求項５】
請求項３に記載の半導体装置において、
前記半導体素子の外縁部から最も離れた位置にあるランド群は、前記ランド外縁部と前記絶縁膜の開口部内周端との間に隙間が形成される部分が、前記半導体素子の中心側方向で、前記半導体素子の中心と前記絶縁膜の開口部中心とを結んだ線と交わる位置にあることを特徴とする半導体装置。
【発明の詳細な説明】
【技術分野】
【０００１】
本発明は、半導体装置（半導体パッケージ）に関し、特に、半導体素子をプリント配線基板に搭載してパッケージングし、はんだバンプなどで実装基板（マザーボード）に実装される半導体装置に関する。
【背景技術】
【０００２】
多機能化と小型化が必要とされる携帯機器や、自動車に搭載される各種電子制御機器などに実装される各種機能を持った半導体素子（半導体チップ）をパッケージングした半導体パッケージ（半導体装置）では、小型化と多機能化に伴う多端子化に適しているＢＧＡ（ボール・グリッド・アレイ：Ｂall Ｇrid Ａrray）タイプが増加している。ＢＧＡタイプのパッケージは、半導体素子をインターポーザとも呼ばれるプリント配線基板に搭載し、樹脂封止などを施してパッケージングされている。
【０００３】
プリント配線基板の半導体素子搭載面（主面）とは反対側の面（裏面）には、各種機器の実装基板に半導体パッケージを実装するためのボール状またはペースト状はんだ材料などからなる外部接合端子が、プリント配線基板裏面側の表面に設けられたランドに接合されている。
【０００４】
プリント配線基板の裏面側の表面には絶縁膜（ソルダレジスト）が設けられており、この絶縁膜にはランドに外部接合端子を接合するため、ランド表面を露出させる開口部（接続用開口部）が形成されている。また、プリント配線基板には半導体素子と外部接合端子を電気的に導通させるための配線が形成されており、この配線はプリント配線基板の表面配線（主面及び裏面の配線）と内部配線をパッケージサイズや端子数に応じて適宜組み合わせた構成となっている。
【０００５】
外部接合端子の接合部には、従来から外部接合端子を接合するためのランドの直径が、プリント配線基板の裏面側の表面を覆う絶縁膜（ソルダレジスト）の開口径より小さくなっており、ランド外周端と絶縁膜開口部の内周端との間に隙間が存在するＮＳＭＤ（Ｎon-Ｓolder Ｍask Ｄefined、またはノンオーバーレジストと呼称される）構造が用いられている。ＮＳＭＤ構造では、ランド表面だけでなく、ランド側面にも外部接合端子であるはんだが接合される。さらに、ランドから引出される配線が、ランド外周端と絶縁膜開口部の内周端において絶縁膜から露出しており、はんだ接合後は、配線の露出部分にもはんだが接合される。
【０００６】
半導体素子をパッケージングした半導体パッケージが実装基板に実装された状態で環境温度が変化するような場合、半導体パッケージと実装基板または実装基板が搭載される電子機器の筐体との線膨張係数差に起因した熱応力が外部接合端子部に作用する。この熱応力によって外部接合端子部にき裂や破断といった損傷が発生して導通不良となり、半導体パッケージの信頼性が低下する場合がある。外部接合端子部で発生する導通不良は、外部接合端子であるはんだが損傷する場合と、ランドからの引出し配線が損傷する場合とがある。
【０００７】
近年の半導体パッケージでは、環境問題の観点から、はんだ材に鉛を含まない鉛フリー材（Ｓn-Ａg-Ｃu系材料など）の適用が増えるとともに、パッケージの小型化、多端子化によって格子状のランド間隔が狭くなり、ランドからの引出し配線が微細化されている。鉛フリーはんだは、鉛はんだより降伏応力が高くなるため、はんだ材の塑性変形が生じにくくなり、ランド引出し配線に発生する応力を高くする。また、引出し配線の微細化は配線応力をさらに増加させることになり、配線の損傷による信頼性低下が顕著になっている。
【０００８】
ランドからの引出し配線の損傷による信頼性低下を解決するために、例えば、以下の公知例がある。
【０００９】
特開２０００−３１５８４３号公報では、部品と接続するための外側の接続部と内側の接続部とを含む複数の接続部から延びる信号パターンの幅を、外側の接続部と内側の接続部とで変える構成とし、外側の接続部から延びる信号パターンの幅を内側の接続部より広くする形態が開示されている。これによって、リフロー時の熱膨張や機器への組み込み時の機械的負荷による変形を受けやすい外側の接続部から延びる信号パターンの断線を防止しようとしている。
【００１０】
特開２００３−２３２４３号公報では、配線基板に設けられている円形状の接続用電極部から延びている配線が、接続用電極端と、導体を保護してはんだ材にぬれないようにする保護膜端の一定の間隔内で保護膜に覆われている形態が開示されている。これによって、配線が保護膜から露出する面積を小さくし、はんだが配線にぬれることで発生する配線部に加わる熱応力を低減させ、信頼性を高めるものである。
【００１１】
特開２００４−１２８２９０号公報では、例えば、半導体素子の外縁コーナー部の外部端子や最内周の外部端子の配線を内側に引出し、半導体素子の外縁より外側に位置する外部端子の配線は外側に引出す形態が開示されている。半導体素子の外縁部との位置関係で外部端子の配線引出し方向を内側または外側とすることで、熱応力による配線の断線を抑制するものである。
【００１２】
特開２００１−２３０５１３号公報では、ランドの外周縁部の一部がレジスト膜に覆われたオーバーレジスト構造、残りの部分は、ランドの外周縁部とレジスト膜の開口部の内周縁部との間で隙間が形成されるノンオーバーレジスト構造とする形態が開示されている。特に、上記した形態は、多数個のランドを整列状態にしたもののうち最も外側に位置するランドに適用し、このランドにおいては、表面実装部品の外側に位置する部分をノンオーバーレジスト構造、内側に位置する部分をオーバーレジスト構造とする形態が示されている。これによって、多数個のランドを整列状態にしたもののうち、落下衝撃などの衝撃および反りや曲げによる応力が最も強く作用する、最も外側に位置するランドについて接合強度を高いものとする。
【００１３】
【特許文献１】特開２０００−３１５８４３号公報
【特許文献２】特開２００３−２３２４３号公報
【特許文献３】特開２００４−１２８２９０号公報
【特許文献４】特開２００１−２３０５１３号公報
【発明の開示】
【発明が解決しようとする課題】
【００１４】
本発明が対象としているＢＧＡタイプの半導体パッケージは、半導体素子、インターポーザとも呼ばれるプリント配線基板、および封止樹脂が主な構成部材である。一般的に半導体パッケージの中央部に搭載される半導体素子には一般的にシリコン（Ｓｉ）が用いられ、その線膨張係数は３ｐｐｍ／℃程度、パッケージ外縁部分の見掛けの線膨張係数は、プリント配線基板をガラスエポキシ系材料、封止樹脂をトランスファーモールド用エポキシ樹脂とした場合１０ｐｐｍ／℃程度である。実装基板の線膨張係数はガラスエポキシ系材料では１５〜２０ｐｐｍ程度になる。半導体パッケージと実装基板の線膨張係数差により外部接合端子に発生する応力は、半導体パッケージの中心（方形状の平面において対角線が交わる点）からの距離が離れるとともに増加するが、半導体素子部分は、実装基板との線膨張係数差が半導体パッケージ外縁部より大きいため、半導体素子外縁部や半導体素子外縁より内側に位置する外部接合端子にも大きな応力が発生する。そのため、特開２０００−３１５８４３号公報に記載の形態では、半導体パッケージの外側部分にある外部接合端子が接合されたランドの引出し配線の断線には効果が得られるが、半導体パッケージの内側部分、すなわち半導体素子部分の外部接合端子での断線を抑制することが困難である。
【００１５】
また、特開２００３−２３２４３号公報に記載の形態は、保護膜をランドの引出し配線も覆うように形成するものであるが、保護膜とはんだは接合（あるいは接着）しないことから、温度変化によって保護膜端部とはんだとの接触界面が配線の幅方向を横切るようになり、接触界面が開閉口することで、保護膜端部直下の配線に集中して応力が発生し、配線断線を抑制できない場合がある。
【００１６】
また、特開２００４−１２８２９０号公報の形態は、半導体素子の外縁部と外部接合端子の位置関係で、ランドからの引出し配線を部分ごとに最適方向に形成するものである。しかし、隣接した複数のランド引出し配線を同じ方向に向けるために、半導体素子搭載面側と外部接合端子側を導通させるための基板内部配線（スルーホール）が、接続されるランドから離れた位置に形成される場合があり、プリント配線基板の配線長が長くなって、半導体パッケージの高速化を阻害する要因となる。また、外部接合端子数の増加による端子間隔の縮小、端子間に形成するプリント基板表面配線数の増加や、基板内部配線（スルーホール）数が増加してランド近傍に配置されるなどで、引出し配線を最適方向に形成できない場合がある。
【００１７】
さらに、特開２００１−２３０５１３号公報に記載の形態は、落下衝撃などの衝撃および反りや曲げに対する信頼性を高めることができるが、半導体パッケージと実装基板の線膨張係数差により外部接合端子に発生する応力に起因する外部接合端子部の損傷については、高い応力が作用する方向が落下衝撃の場合と異なるため、損傷を抑制する効果が得られない。
【００１８】
本発明は、前記従来技術では十分に解決できなかった、半導体パッケージと実装基板の線膨張係数差により外部接合端子に発生する応力に起因するランドからの引出し配線の損傷による半導体パッケージの信頼性低下を抑制する課題を解決することを目的とする。併せてランド表面とはんだとの十分な接合面積を確保するとともに、はんだ接合部への応力集中を抑制し、はんだの損傷による半導体パッケージの信頼性低下の抑制も目的とする。
【課題を解決するための手段】
【００１９】
本願において開示される発明のうち、代表的なものの概要を簡単に説明すれば、下記のとおりである。
本発明によって前記課題を解決し、半導体パッケージと実装基板の熱膨張係数差に起因した熱応力によるランド引出し配線の断線を抑制する。
【００２０】
（１）ランドと外部接合端子の接合構造について、上記ＮＳＭＤ構造部分とＳＭＤ（Ｓolder Ｍask Ｄefined、またはオーバーレジストと呼称される）構造部分をそれぞれ３箇所以上設け、引出し配線表面を絶縁膜で覆う形態に関する。具体的には、半導体素子と、半導体素子が搭載されたプリント基板と、プリント基板の半導体素子搭載面とは反対側の表面層に設けられたランドと、ランドから延びてランドと同じ表面層に形成された配線と、ランドに接合された外部接合端子と、ランドに外部接合端子を接合するための略円形状の開口部を形成したプリント基板の表面を覆う絶縁膜と、を有し、絶縁膜の開口部内周端とランド表面とが接触する部分、すなわちランド表面が絶縁膜で覆われるＳＭＤ構造部分と、ランド外縁端と絶縁膜の開口部内周端との間に隙間が形成される部分、すなわちＮＳＭＤ構造部分を、それぞれ３箇所以上設け、ランドから延びた配線の表面は絶縁膜で覆われていることを特徴とする半導体パッケージである。
【００２１】
（２）前記（１）で記載した、前記絶縁膜の開口部内周端とランド表面とが接触する部分（ＳＭＤ構造部分）と、ランド外縁端と絶縁膜の開口部内周端との間に隙間が形成される部分（ＮＳＭＤ構造部分）が、ランド外縁に沿って交互に形成されていることを特徴とする半導体パッケージである。
【００２２】
（３）ランドと外部接合端子の接合構造について、上記ＮＳＭＤ構造部分とＳＭＤ構造部分をそれぞれ３箇所以上設け、ＮＳＭＤ構造部分の少なくとも１箇所を半導体素子の中心と絶縁膜の開口部中心とを結ぶ線と交わる位置に設け、引出し配線表面を絶縁膜で覆う形態に関する。具体的には、半導体素子と、半導体素子が搭載されたプリント基板と、プリント基板の半導体素子搭載面とは反対側の表面層に設けられたランドと、ランドから延びてランドと同じ表面層に形成された配線と、ランドに接合された外部接合端子と、ランドに外部接合端子を接合するための略円形状の開口部を形成したプリント基板の表面を覆う絶縁膜と、を有し、絶縁膜の開口部内周端とランド表面とが接触する部分、すなわちＮＳＭＤ部分と、ランド外縁端と絶縁膜の開口部内周端との間に隙間が形成される部分、すなわちＳＭＤ部分をそれぞれ３箇所以上設け、前記ランド外縁端と絶縁膜の開口部内周端との間に隙間が形成されるＮＳＭＤ構造部分の少なくとも1箇所は、半導体素子の中心と絶縁膜の開口部中心を結ぶ線と交わる位置にあり、ランドから延びた配線の表面は絶縁膜で覆われていることを特徴とする半導体パッケージである。
【００２３】
（４）前記（３）で記載したＮＳＭＤ構造部分の少なくとも１箇所を半導体素子の中心と絶縁膜の開口部中心を結ぶ線と交わる位置に設けるのは、半導体素子の外縁部と交差する位置のランド、外縁部より内側にあるランドおよび外縁部より外側で半導体素子に隣接したランド群については、半導体素子の中心と反対側の方向であることを特徴とする半導体パッケージである。
【００２４】
（５）前記（３）で記載したＮＳＭＤ構造部分の少なくとも１箇所を半導体素子の中心と絶縁膜の開口部中心を結ぶ線と交わる位置に設けるのは、半導体素子の外縁部から最も離れた位置にあるランド群については、半導体素子の中心方向側であることを特徴とする半導体パッケージである。
【発明の効果】
【００２５】
本発明では、ランドと外部接合端子の接合構造について、ＮＳＭＤ構造部分とＳＭＤ構造部分をそれぞれ３箇所以上設け、ランドから伸びる引出し配線をＳＭＤ構造部分から引出し、配線の表面を絶縁膜（ソルダレジスト）で覆うようにする。これによって、配線絶縁膜とはんだとの接触界面が配線の幅方向に横切ることがなくなるので配線に発生する熱応力を抑制することができる。また、ＮＳＭＤ構造部分とＳＭＤ構造部分をそれぞれ３箇所以上設けることで、ランド表面と外部接合端子であるはんだとの十分な接合面積を確保することができる。
【００２６】
温度変化によって外部接合端子に発生する応力は、半導体素子が半導体パッケージの中央部に搭載されている場合、半導体素子の中心と外部接合端子の中心を結ぶ線に沿った方向に生じる熱変形に起因して生じる。そのため、外部接合端子部では、前記熱変形方向に高い応力が発生するようになる。半導体素子の中心と外部接合端子の中心を結ぶ線とランドの外縁が交わる位置の少なくとも１箇所を前記ＮＳＭＤ構造部分にすると、この部分では、はんだがランド表面だけでなくランド側面にも接合されているので、応力が広範囲に分散され、はんだの損傷を抑制することができる。
【００２７】
上記半導体素子の中心と外部接合端子の中心を結ぶ線とランドの外縁が交わる位置は、各外部接合端子部に２箇所存在する。上記交差部分の少なくとも１箇所に設ける前記ＮＳＭＤ構造部分は、前記２箇所の交差部分のうち、応力が高くなる側に形成するのが望ましく、半導体パッケージ内における外部接合端子の位置によって適宜選択する。
【００２８】
半導体素子の外縁部と交差するランド、半導体素子の外縁部より内側にあるランドおよび半導体素子の外縁部より外側で半導体素子に最も隣接したランド群については、ＮＳＭＤ構造部分を半導体素子の中心とは反対側の方向に設ける。前記した半導体素子外縁部近傍や内側にあるランドでは、半導体素子の中心と反対側方向に高い応力が発生する。この部分をＮＳＭＤ構造とすることによって外部接合端子部で発生する応力が分散かつ抑制され、はんだの損傷を防ぐことができる。
【００２９】
また、半導体素子の外縁部から最も離れた位置にあるランド群については、ＮＳＭＤ構造部分を半導体素子の中心の方向に設ける。このランド群では、半導体素子の中心方向側に高い応力が発生するので、この部分をＮＳＭＤ構造とすることによって、外部接合端子部で発生する応力を分散かつ抑制できる。
【発明を実施するための最良の形態】
【００３０】
以下、図面を参照して本発明の実施例を詳細に説明する。
【実施例１】
【００３１】
図１乃至図４は、本発明の実施例１の半導体パッケージ（半導体装置）に係る図であり、
図１は、半導体パッケージの概略構成を示す図（（ａ）は模式的断面図，（ｂ）は模式的底面図）、
図２は、半導体パッケージのランドに外部接合端子を接合する前の状態を示す図（（ａ）は模式的平面図，（ｂ）は（ａ）のＡ−Ａ線に沿う模式的断面図，（ｃ）は（ａ）のＢ−Ｂ線に沿う模式的断面図）、
図３は、図１（ａ）の一部を拡大した模式的断面図である。
【００３２】
図１（（ａ），（ｂ））に示すように、本発明の実施例１である半導体パッケージは、半導体素子（半導体チップ）１、インターポーザと呼ばれるプリント配線基板５、外部接合端子９、半導体素子１とプリント配線基板５とを電気的に接続する金属ワイヤなどの導電性部材３、封止樹脂４、接着部材２等を備えている。
【００３３】
図１（ａ）に示すように、半導体素子１は、プリント配線基板５の半導体素子搭載面である主面５ａ上に接着部材２によって搭載されている。プリント配線基板５の主面５ａ上には半導体素子１と導電性部材３を覆うように封止樹脂４が設けられており、半導体素子１、導電性部材３およびプリント配線基板５の主面５ａを保護している。プリント配線基板５の半導体素子搭載面（主面５ａ）とは反対側の面（裏面）５ｂには、バンプ状の外部接合端子９が複数設けられおり、複数の外部接合端子９は、図１（ｂ）に示すように、格子状に配列されている。図１（ｂ）では、プリント配線基板５の中央部に１６個、外周部分に４列で２５６個、計２７２個の外部接合端子９を配置している。
【００３４】
プリント配線基板５は、図３に示すように、主に、コア層６と、コア層６の主面に設けられ、かつ金属細線が接合された電極１２と、コア層６の主面と反対側の裏面に設けられ、かつ外部接合端子９が接合されたランド８と、ランド８から延びてランド８と同じ平面上に形成された引出し配線１０と、電極１２から延びて電極１２と同じ平面上に形成された配線１３と、配線１３と引出し配線１０とを電気的に接続する内部配線（スルーホール配線）１１と、コア層６の主面、裏面をそれぞれ覆う絶縁膜（ソルダレジスト膜）７とを有する構成になっている。電極１２は、プリント配線基板５の主面５ａ側に形成された配線１３の一部で構成され、ランド８は、プリント配線基板５の裏面５ｂ側に形成された引出し配線１０の一部で形成されている。
【００３５】
半導体素子１とプリント配線基板５は、図示されていない半導体素子表面の電極とプリント配線基板５の電極１２とを金属細線などの導電性部材３で電気的に接続することによって電気的導通がなされる。ランド８と電極１２には、絶縁膜７の開口部１４、１５がそれぞれ設けられており、電極１２に導電性部材３が、ランド８には外部接合端子９が接合できるようになっている。プリント配線基板５の裏面５ｂ側のランド８には外部接合端子９が接合されており、外部接合端子９は、導電性部材３とプリント配線基板５の配線を経由して、半導体素子１と電気的導通がなされている。
【００３６】
プリント配線基板５には、エポキシ樹脂やＢＴ樹脂などとガラスクロスを組み合わせたコア層６と配線１３や内部配線１１などを設けた多層プリント配線基板や、ポリイミド樹脂などからなるテープ基板をコア層６として配線などを形成した配線基板などを用いる。導電性部材３には、金やアルミなどの金属細線を用いる。また、封止樹脂はエポキシ樹脂にシリカ粒子などを充てんした材料を用いる。外部接合端子９には錫（Ｓｎ）、鉛（Ｐｂ）、銀（Ａｇ）、銅（Ｃｕ）などを主材料とするはんだを用いる。
【００３７】
ランド８の平面形状は、図２（ａ）に示すように矩形となっている。絶縁膜７の開口部１４の平面形状は円形であり、ランド８と重なってランド表面８ａの中央部分は絶縁膜７から露出するが、ランド８の角部８ｃは絶縁膜７に覆われている。ランド８からの引出し配線１０は、ランド角部８ｃから延びており、引出し配線１０は絶縁膜７に覆われている。ランド角部８ｃでは、ランド表面８ａと絶縁膜の開口部内周端１４ａが接触しており、この部分はＳＭＤ（オーバーレジスト）構造となっている（図２（ｂ））。
【００３８】
ランド外縁端８ｂでランド角部８ｃどうしに挟まれたランド外縁の中央部８ｄは、ランド外縁端８ｂと絶縁膜７の開口部内周端１４ａとの間に隙間１６が形成されている。この隙間１６が形成される部分では、ランド表面８ａとともにランド側面８ｅにもはんだが接合し、この部分はＮＳＭＤ（ノンオーバーレジスト）構造となる（図２（ｃ））。
【００３９】
上記したランド表面８ａと絶縁膜７の開口部内周端１４ａが接触するＳＭＤ構造部分（ランド角部８ｃ）と、ランド外縁端８ｂと絶縁膜７の開口部内周端１４ａとの間に隙間１６が形成されるＮＳＭＤ構造部分（ランド外縁中央部８ｄ）は、一つのランドにそれぞれ４箇所設けられており、またこれらはランド外縁に沿って交互に形成されている。
【００４０】
本実施例１によれば、ランド８からの引出し配線１０が絶縁膜７に覆われており、絶縁膜７とはんだ材からなる外部接合端子９との接触界面が引出し配線１０の幅方向に横切るような位置にくることがない。これによって、温度変化時に上記接触界面の開閉口により引出し配線１０に発生する熱応力を抑制することができる。また、ＮＳＭＤ構造部分とＳＭＤ構造部分をそれぞれ４箇所設けることで、ＮＳＭＤ構造部分のランド外縁端８ｂと絶縁膜７の開口部内周端１４ａとの間に隙間１６を小さくすることができ、ランド表面８ａと外部接合端子９の接合面積を広くすることができる。ＮＳＭＤ構造部分は、外部接合端子材がランド表面８ａだけでなく側面にも接合されるため、外部接合端子９に生じる応力がランド表面８ａと側面に分散するようになる。ランド表面８ａと外部接合端子材との接合面積が広くなることでも発生応力の分散効果を得られる。これによって、外部接合端子９となるはんだ自体に発生する応力が高くなることを抑制することができ、ランド引出し配線１０の損傷だけでなく、外部接合端子自体の損傷による半導体パッケージ（半導体装置）の信頼性低下を防ぐことができる。
【００４１】
なお、本実施例１では、ランド８の平面形状を矩形（四角形）としたが、四角形以上の五角形、六角形などの多角形形状であっても良い。この場合も絶縁膜７の開口部形状は円形とし、多角形の角部において絶縁膜７の開口部内周端１４ａがランド表面８ａと接触するようにする。
【００４２】
ランド８から延びる引出し配線１０が引出される方向は、引出し配線１０全体が絶縁膜７に覆われているので、どの方向に設けてあっても応力抑制効果が得られる。しかし、温度変化によって外部接合端子部に発生する応力は、半導体素子１が半導体パッケージの中央部（方形状の平面において対角線が交差する部分）に搭載されている場合では、半導体素子１の中心（方形状の平面において対角線が交差する点）と外部接合端子９の中心を結ぶ線に沿った方向の熱変形に起因して発生する。そのため、外部接合端子部では、図４に示すように、半導体素子１の中心と外部接合端子部の中心を結んだ線Ｃとランド外縁８ｂとが交差する部分１７に高い応力が発生する。したがって図４のように、この交差部分を除いた箇所１８に引出し配線１０を形成することで、配線応力の抑制効果をさらに高めることができる。
【００４３】
特に自動車に搭載されるエンジンコントロールユニットやカーナビゲーションシステムなどの電子機器に実装される半導体パッケージでは、使用される環境の温度変化幅が広く、実装基板が金属製筐体に接合される場合があり、半導体パッケージとの線膨張係数差がさらに拡大する。このような状態では、ランド８からの引出し配線１０が絶縁膜７で覆われていても、応力が高くなる方向に配線が形成されていると、比較的高い応力が配線に発生する場合があるので、配線方向を応力が低い方向に形成する必要が生じる。
【００４４】
ランド外縁端８ｂと絶縁膜７の開口部内周端１４ａとの間に隙間１６が形成されるＮＳＭＤ構造部分の隙間１６の間隔は、大きくなりすぎるとランド表面８ａと外部接合端子である例えばはんだとの接合面積が減少するため、はんだ自体やはんだとランド表面８ａ界面に発生する応力が増大するようになる。そのため隙間１６は、ランド側面８ｅに溶融したはんだが濡れるための最小の間隔とするのが望ましい。実際には、ランド８と絶縁膜の開口部１４の位置合わせ精度も考慮する必要があるため、隙間１６の最も間隔の広い部分（図４のＤ）を５０μｍ程度になるようにランドサイズと絶縁膜の開口径を調整する。
【実施例２】
【００４５】
図５及び図６は、本発明の実施例２である半導体パッケージに係る図であり、
図５は、半導体パッケージの模式的底面図、
図６は、半導体パッケージのランドに外部接合端子を接合する前の状態を示す模式的平面図である。
以下、図５及び図６を用いて本発明の実施例２を説明する。
【００４６】
温度変化によって外部接合端子９に発生する応力は、半導体素子（１）が半導体パッケージの中央部に搭載されている場合、半導体素子の中心と外部接合端子９の中心を結ぶ線Ｃに沿った方向の熱変形に起因して生じる。
【００４７】
そのため、外部接合端子部では、前記熱変形方向（線Ｃの方向）に高い応力が発生するようになる。半導体素子の中心と外部接合端子９の中心を結ぶ線Ｃとランド外縁８ｂが交わる位置１９の少なくとも１箇所をランド外縁部８ｂと絶縁膜７の開口部内周端１４ａとの間に隙間１６が形成される部分（ＮＳＭＤ構造部分）にすると、この部分では、はんだがランド表面８ａだけでなくランド側面８ｅにも接合されているので、応力がランド表面と側面の広範囲に分散され、はんだ自体のき裂や接合界面のき裂などの損傷を抑制することができる。
【００４８】
上記した半導体素子の中心と外部接合端子９の中心を結ぶ線Ｃとランド外縁８ｂが交わる位置１９は、図６に示すように、各外部接合端子部に２箇所存在する。この交差位置１９の少なくとも１箇所に設けるＮＳＭＤ構造部分は、その外部端子接合部で応力が高くなる位置に形成するのが望ましく、半導体素子と外部接合端子９の位置関係でＮＳＭＤ構造部分の形成位置を決定する。図５に示す、半導体素子の外縁部１ａと交差する位置や半導体素子の外縁部１ａより内側、および半導体素子の外縁部１ａより外側で最も半導体素子に近接した複数の外部接合端子２０については、ＮＳＭＤ構造部分を半導体素子の中心とは反対側の位置に設ける。また、半導体素子の外縁部から最も離れた位置にある外部接合端子群２１は、ＮＳＭＤ構造部分を半導体素子の中心方向の位置に設ける。なお、これらＮＳＭＤ構造部分の形成位置は、半導体パッケージ側の外部接合端子の接合部分に関するものである。
【実施例３】
【００４９】
本発明の実施例３について、図を用いて説明する。
上記した本発明の実施例１，２では、ランド形状が矩形（四角形）であり、ランド表面８ａと絶縁膜７の開口部内周端１４ａが接触するＳＭＤ構造部分（ランド角部８ｃ）とランド外縁端８ｂと絶縁膜７の開口部内周端１４ａとの間に隙間１６が形成されるＮＳＭＤ構造部分（ランド外縁中央部８ｄ）は、一つの外部接合端子部にそれぞれ４箇所設けられていた。このＳＭＤ部分とＮＳＭＤ部分をそれぞれ３箇所設けた外部接合端子部構造の模式的平面図を図７（（ａ），（ｂ））に示す。図７（（ａ），（ｂ））は、ランドに外部接合端子を接合する前の平面構造である。
【００５０】
ランド角部８ｃは３箇所あり、この部分は絶縁膜７に覆われ、ランド表面と絶縁膜７の開口部内周端１４ａが接触するＳＭＤ構造部分となっている。ランド８から延びる引出し配線１０は角部８ｃに形成され、引出し配線１０は絶縁膜に覆われている。ランド外縁８ｂの角部８ｃどうしに挟まれた箇所２２ａ、２２ｂでは、ランド外縁端８ｂと絶縁膜７の開口内周端１４ａとの間に隙間１６が形成されており、ＮＳＭＤ構造部分となっている。ランド外縁８ｂの角部８ｃにどうしに挟まれた箇所２２のうちの１箇所２２ａは、円形をした絶縁膜７の開口部１４の形に沿うような円弧状となっており、隙間１６の間隔が広くならないようになっている。角部８ｃに囲まれた残りの２箇所２２ｂは直線もしくは曲率半径の大きな曲線形状とし、隙間１６の間隔が必要以上に広がらない形状とする。
【００５１】
上記したランド表面８ａと絶縁膜７の開口部内周端１４ａが接触するＳＭＤ構造部分（ランド角部８ｃ）とランド外縁端８ｂと絶縁膜７の開口部内周端１４ａとの間に隙間１６が形成されるＮＳＭＤ構造部分（ランド外縁中央部８ｄ）は、一つのランドにそれぞれ３箇所設けられており、またこれらはランド外縁に沿って交互に形成されている。
【００５２】
本実施例３によれば、ランド８からの引出し配線１０が絶縁膜７に覆われており、絶縁膜７とはんだ材からなる外部接合端子９との接触界面が配線１０の幅方向に横切るような位置にくることがない。これによって温度変化時に引出し配線に発生する熱応力を抑制することができる。また、ＮＳＭＤ構造部分とＳＭＤ構造部分をそれぞれ３箇所設け、ランド外縁の形状を絶縁膜の開口部内周端との隙間が広くならない形状とし、ランド表面と外部接合端子の接合面積を広くすることができる。これによって、外部接合端子に用いるはんだ自体に発生する応力が高くなることを抑制することができ、ランド引出し配線の損傷だけでなく、外部接合端子自体の損傷による半導体パッケージの信頼性低下を防ぐことができる。
【００５３】
本実施例のように、ＮＳＭＤ構造部分とＳＭＤ構造部分をそれぞれ３箇所形成した外部接合端子部では、はんだ自体に発生する応力の低減効果が高いＮＳＭＤ構造部分の範囲を広くすることができる。これによって、はんだの損傷を抑制する効果をより得られるようになる。
【００５４】
温度変化によって外部接合端子に発生する応力は、半導体素子が半導体パッケージの中央部に搭載されている場合、半導体素子の中心と外部接合端子の中心を結ぶ線Ｃに沿った方向の熱変形に起因して生じる。
上記した半導体素子の中心と外部接合端子の中心を結ぶ線Ｃとランド外縁８ｂが交わる位置１９は、各外部接合端子部に２箇所存在し、このどちらか一方に高い応力が発生する。ＮＳＭＤ構造部分は、外部端子接合部で応力が高くなる位置に形成するのが望ましく、半導体素子と外部接合端子の位置関係でＮＳＭＤ構造部分の外部接合端子部での形成位置を決定する。図７（（ａ），（ｂ））に示したランド形状では、ＮＳＭＤ構造部分の形成範囲が広い（ランド外縁に沿った方向の長さが長い）ため、応力の分散効果が他のＮＳＭＤ構造部分２２ｂより大きいので、２２ａ部分を応力が高くなる位置に形成すると効果的である。
【００５５】
外部接合端子が、半導体素子の外縁部１ａと交差する位置や半導体素子の外縁部１ａより内側、および半導体素子の外縁部１ａより外側で最も半導体素子に近接した位置にある場合（図５の２０）は、図７（ａ）のように、ＮＳＭＤ構造部分を半導体素子の中心方向（図中の矢印の方向）とは反対側の位置に設ける。また、半導体素子の外縁部から最も離れた位置にある外部接合端子群２１は、図７（ｂ）のようにＮＳＭＤ構造部分を半導体素子の中心方向（図中の矢印の方向）側の位置に設ける。
【００５６】
図８は図７（（ａ），（ｂ））に示した実施例３の他の様態を示す図であり、ランドに外部接合端子を接合する前の模式的平面図である。
【００５７】
図７（（ａ），（ｂ））と異なる点は、３箇所あるＮＳＭＤ構造部分２３の形成範囲（ランド外縁に沿った方向の長さ）がほぼ同じであり、この部分のランド外縁部の形状が、円形をした絶縁膜７の開口部１４の形に沿うような円弧状となっていることである。本実施例でも、ＮＳＭＤ構造部分２３の少なくとも一箇所は、半導体素子の中心と外部接合端子の中心を結ぶ線Ｃとランド外縁８ｂが交わる位置の高い応力が発生する側に形成する。
【００５８】
上記した本発明による半導体パッケージは、外部接合端子９を介して、図９に示すように、携帯機器や自動車用途の各種電子制御機器の実装基板２４に実装される。
【００５９】
半導体パッケージを実装基板に実装した状態に温度変化、特に温度降下の場合、外部接合端子であるはんだの応力緩和効果が低減するため、外部接合端子部に大きな応力が発生する。通常、実装基板の線膨張係数は半導体パッケージの見掛けの線膨張係数より大きいので、実装基板の変形によって外部接合端子の半導体パッケージ側の接合部では、半導体パッケージの中心とは反対方向側に大きな引張り応力（あるいは塑性ひずみ）が発生する。この外部接合端子部に発生する引張り応力は、特に半導体パッケージの中でも線膨張係数が小さい半導体素子部にある外部接合端子において大きくなる。
【００６０】
上記本発明の実施例で示したプリント配線基板をインターポーザとして封止樹脂で封止した半導体パッケージでは、通常インターポーザの線膨張係数が封止樹脂より大きくなっている。したがって、半導体パッケージ自体は温度降下によって、上に凸の反り変形が生じるようになる。半導体パッケージの中心部は半導体素子の拘束によって大きな反りは発生しないが、半導体素子外縁の外側部分、特に半導体パッケージの外縁部分での反りは大きくなる。この半導体パッケージ外縁部分のパッケージ側の外部接合端子部では、パッケージの反り変形によって半導体パッケージの中心方向側に引張り応力が発生するようになる。
【図面の簡単な説明】
【００６１】
【図１】本発明の実施例１である半導体パッケージ（半導体装置）の概略構成を示す図（（ａ）は模式的断面図，（ｂ）は模式的底面図）である。
【図２】本発明の実施例１である半導体パッケージのランドに外部接合端子を接合する前の状態を示す図（（ａ）は模式的平面図，（ｂ）は（ａ）のＡ−Ａ線に沿う模式的断面図，（ｃ）は（ａ）のＢ−ｂ線に沿う模式的断面図）である。
【図３】図１（ａ）の一部を拡大した模式的断面図である。
【図４】本発明の実施例１の変形例である半導体パッケージのランドに外部接合端子を接合する前の状態を示す模式的平面図である。
【図５】本発明の実施例２である半導体パッケージの模式的底面図である。
【図６】本発明の実施例２である半導体パッケージのランドに外部接合端子を接合する前の状態を示す模式的平面図である。
【図７】本発明の実施例３である半導体パッケージのランドに外部接合端子を接合する前の状態を示す図（（ａ）及び（ｂ）は模式的平面図）である。
【図８】実施例３の他の様態を示す図であり、ランドに外部接合端子を接合する前の状態を示す模式的平面図である。
【図９】本発明を適用した半導体パッケージを実装基板に実装した状態を示す模式的断面図である。
【符号の説明】
【００６２】
１…半導体素子
２…接着部材
３…導電性部材
４…封止樹脂
５…プリント配線基板（インターポーザ）
７…絶縁膜
８…ランド
９…外部接合端子
１０…引出し配線
１２…電極
１３…表面配線
１４…絶縁膜の開口部
１６…隙間
１７、１９…半導体素子の中心と外部接合端子の中心を結ぶ線とランド外縁が交わる位置
２４…実装基板
【図１】
2007005452.tif 000003
【図２】
2007005452.tif 000004
【図３】
2007005452.tif 000005
【図４】
2007005452.tif 000006
【図５】
2007005452.tif 000007
【図６】
2007005452.tif 000008
【図７】
2007005452.tif 000009
【図８】
2007005452.tif 000010
【図９】
2007005452.tif 000011